(57)【要約】【課題】電気光学材料の焼付き、フリッカ、および消費電力の増大を抑制できる電気光学装置および電子機器を提供すること。【解決手段】電気光学装置１は、走査線駆動回路１１と、データ線駆動回路２１と、走査線１０が延在する方向に沿って帯状に設けられ、複数の画素５０に光を照射する複数の光源３１１と、複数の光源３１１から照射する光の強度を制御するバックライト制御回路９４と、を備える。データ線駆動回路２１は、全ての走査線１０が走査線駆動回路１１により選択される期間ごと、すなわち１フレーム期間ごとに、画像信号を共通電極５６の電位を基準として極性反転させてデータ線２０に供給する。バックライト制御回路９４は、各画素５０に画像信号を供給するタイミングに応じて、各画素５０に対応する各光源３１１から光を照射するタイミングを制御するとともに、画像信号の極性に応じて、各光源３１１から照射する光の強度を調整する。【選択図】図１
2007304385.tif 000002
【特許請求の範囲】
【請求項１】
複数の走査線と、複数のデータ線と、前記複数の走査線と前記複数のデータ線との交差
に対応して設けられた画素電極および当該画素電極に対向して設けられる共通電極を有す
る複数の画素と、を備えた電気光学装置であって、
前記走査線に対して所定の順番で選択する選択電圧を供給する走査線駆動回路と、
前記走査線が選択された際に、前記データ線を介して、前記各画素に画像信号を供給す
るデータ線駆動回路と、
前記走査線が延在する方向に沿って帯状に設けられるとともに、前記複数の画素に対し
て光を照射する複数の光源と、
前記複数の光源から前記複数の画素に照射する光の強度を制御する制御回路と、を備え
、
前記データ線駆動回路は、前記複数の走査線のうち少なくとも２つの走査線が前記走査
線駆動回路により選択される期間ごとに、前記画像信号を前記共通電極の電位を基準とし
て極性反転させて前記データ線に供給し、
前記制御回路は、前記各画素に画像信号を供給するタイミングに応じて、前記各画素に
対応する各光源から光を照射するタイミングを制御するとともに、前記画像信号極性反転
に基づいて、前記各光源から照射される光の強度を調整することを特徴とする電気光学装
置。
【請求項２】
請求項１に記載の電気光学装置において、
前記画素電極と前記共通電極との間に電気光学材料が設けられ、
前記複数の光源に対応して設けられるとともに、少なくとも１以上の画素について前記
電気光学材料の光学応答を検知するセンサ部をさらに備え、
前記制御回路は、前記センサ部で検知された前記電気光学材料の光学応答に基づいて、
前記複数の光源から前記複数の画素に照射される光の強度を調整することを特徴とする電
気光学装置。
【請求項３】
請求項１または２に記載の電気光学装置において、
前記制御回路は、前記走査線駆動回路により選択される前記走査線の行の位置に同期し
て、前記複数の光源のうち対応する光源の強度を落とすことを特徴とする電気光学装置。
【請求項４】
請求項３に記載の電気光学装置において、
前記制御回路は、前記極性に応じた画像信号がデータ線に供給されてから前記電気光学
材料の光学応答が完了するまでの間、前記光源の強度を落とすとともに、前記電気光学材
料の光学応答が完了した後に、前記光源の強度を上げることを特徴とする電気光学装置。
【請求項５】
請求項１乃至４のいずれか１項に記載の電気光学装置を備えたことを特徴とする電子機
器。
【発明の詳細な説明】
【技術分野】
【０００１】
本発明は、電気光学装置および電子機器に関する。
【背景技術】
【０００２】
従来より、液晶表示装置等の電気光学装置が知られている。この電気光学装置は、例え
ば、液晶パネルと、この液晶パネルに光を供給するバックライトと、を備える。
液晶パネルは、後述するスイッチング素子としての薄膜トランジスタ（以降、ＴＦＴ（
Thin  Film  Transistor）と呼ぶ）がマトリクス状に配置された素子基板と、この素子基
板に対向配置された対向基板と、素子基板および対向基板の間に設けられた電気光学材料
としての液晶と、を備える。
【０００３】
素子基板は、所定間隔おきに設けられた複数の走査線と、これら走査線に交差し所定間
隔おきに設けられた複数のデータ線と、を備える。
各走査線と各データ線との交差部分には、画素が設けられている。画素は、上述のＴＦ
Ｔおよび画素電極を備える。この画素は、マトリクス状に複数配列されて表示領域を形成
する。ＴＦＴのゲート電極には、走査線が接続され、ＴＦＴのソース電極には、データ線
が接続され、ＴＦＴのドレイン電極には、画素電極が接続されている。
対向基板は、画素電極に対向して設けられた共通電極を備える。
各画素電極と共通電極間には誘電体としての液晶が挟持され、両電極で画素容量を形成
する。
【０００４】
この液晶パネルでは、走査線から選択電圧が供給されると、ＴＦＴがオン状態となる。
このオン状態のＴＦＴを介して、データ線から供給された画像電圧が画素容量に書き込ま
れる。選択期間が終了すると、走査線から非選択電圧が供給されて、ＴＦＴはオフ状態と
なって、画素容量に書き込まれた画像電圧は、次に選択されるまで保持される。
【０００５】
画素容量に書き込まれた画像電圧により、液晶の配向や秩序が変化し、液晶を透過する
バックライトからの光が変化して、階調表示が行われる。上述の画像電圧としては、直流
電圧と交流電圧とがあるが、液晶は直流電圧で駆動されると焼付きを起こす。このため、
液晶は交流電圧で駆動される。この交流電圧で液晶を駆動する方式として、共通電極の電
圧よりも高い電圧（以降、正極性と呼ぶ）でデータ線に画像信号を供給する正極性書込と
、共通電極の電圧よりも低い電圧（以降、負極性と呼ぶ）でデータ線に画像信号を供給す
る負極性書込と、を１フレーム期間ごとに交互に行うフレーム反転駆動方式がある。
【０００６】
ところが、フレーム反転駆動方式では、画像信号の極性が正極性の場合と負極性の場合
とでは、液晶の光学応答に微妙なずれが生じることにより、１フレーム期間ごとに交互に
現れる正極性書込のフレームと負極性書込のフレームとの間で、液晶を透過するバックラ
イトからの光に差異が生じる。これは、例えば、画素電極が共通電極に対して正電位の場
合と負電位の場合とでは、画素電極とデータ線の電圧が異なるので、オフ状態であるＴＦ
Ｔのリーク電流に差分が生じ、画素容量に保持される電圧変化が異なるために生じる。こ
のため、同じ階調を表示しようとしても、１フレーム期間ごとに表示する階調に差異が生
じて、フリッカと呼ばれる画面のちらつきが発生する。
【０００７】
このフリッカを抑えるために、正極性書込および負極性書込を１水平ラインごとに交互
に行う１Ｈ反転駆動方式を用いた電気光学装置がある（例えば、特許文献１参照）。
この特許文献１の電気光学装置では、１Ｈ反転駆動方式を用いるので、１フレーム内に
正極性書込をした画素と負極性書込をした画素とを混在させ、これら画素の間でフリッカ
を相殺させて、フリッカを抑制できる。
【特許文献１】特開平０５−１１９７４２号公報
【発明の開示】
【発明が解決しようとする課題】
【０００８】
ところが、上述の特許文献１の電気光学装置では、１Ｈ反転駆動方式により、１水平ラ
インごとに画像信号の極性を反転させるので、消費電力の増大を招くという問題があった
。
【０００９】
本発明は、電気光学材料の焼付き、フリッカ、および消費電力の増大を抑制できる電気
光学装置および電子機器を提供することを目的とする。
【課題を解決するための手段】
【００１０】
本発明の電気光学装置は、複数の走査線と、複数のデータ線と、前記複数の走査線と前
記複数のデータ線との交差に対応して設けられた画素電極および当該画素電極に対向して
設けられる共通電極を有する複数の画素と、を備えた電気光学装置であって、前記走査線
に対して所定の順番で選択する選択電圧を供給する走査線駆動回路と、前記走査線が選択
された際に、前記データ線を介して、前記各画素に画像信号を供給するデータ線駆動回路
と、前記走査線が延在する方向に沿って帯状に設けられるとともに、前記複数の画素に対
して光を照射する複数の光源と、前記複数の光源から前記複数の画素に照射する光の強度
を制御する制御回路と、を備え、前記データ線駆動回路は、前記複数の走査線のうち少な
くとも２つの走査線が前記走査線駆動回路により選択される期間ごとに、前記画像信号を
前記共通電極の電位を基準として極性反転させて前記データ線に供給し、前記制御回路は
、前記各画素に画像信号を供給するタイミングに応じて、前記各画素に対応する各光源か
ら光を照射するタイミングを制御するとともに、前記画像信号極性反転に基づいて、前記
各光源から照射される光の強度を調整することを特徴とする。
【００１１】
この発明によれば、制御回路により、各画素に画像信号を供給するタイミングに応じて
、各画素に対応する各光源から光を照射するタイミングを制御するとともに、画像信号の
極性反転に基づいて、各光源から照射される光の強度を調整した。よって、画像信号の極
性が正極性の場合と負極性の場合とで、各光源から各画素に供給する光を制御して、階調
に差異が生じるのを抑制することで、フリッカを抑制できる。
【００１２】
また、この発明によれば、データ線駆動回路により、複数の走査線のうち少なくとも２
つの走査線が走査線駆動回路により選択される期間ごとに、画像信号を共通電極の電位を
基準として極性反転させてデータ線に供給した。よって、電気光学材料は交流電圧で駆動
されるので、電気光学材料の焼付きを抑制できる。また、１Ｈ反転駆動方式と比べて、デ
ータ線に供給する画像信号の極性を反転させる頻度が減少するので、消費電力が増大する
のを抑制できる。
【００１３】
本発明の電気光学装置では、前記画素電極と前記共通電極との間に電気光学材料が設け
られ、前記複数の光源に対応して設けられるとともに、少なくとも１以上の画素について
前記電気光学材料の光学応答を検知するセンサ部をさらに備え、前記制御回路は、前記セ
ンサ部で検知された前記電気光学材料の光学応答に基づいて、前記複数の光源から前記複
数の画素に照射される光の強度を調整することが好ましい。
【００１４】
上述のように、フリッカの発生原因の一つとして、オフ状態のＴＦＴ素子のリーク電流
が挙げられるが、このリーク電流は、例えば、周辺温度によって変化する。従って、正極
性書込を行う画素に供給する光の強度と、負極性書込を行う画素に供給する光の強度と、
を予め設定しておいても、周辺温度によってはフリッカが生じてしまう。
そこで、この発明によれば、センサ部により、電気光学材料の光学応答を検知し、制御
回路により、センサ部で検知した電気光学材料の光学応答に基づいて、複数の光源から複
数の画素に照射される光の強度を制御したので、周辺温度が変化してオフ状態のＴＦＴ素
子のリーク電流が増大しても、フリッカをさらに抑制できる。
【００１５】
本発明の電気光学装置では、前記制御回路は、前記走査線駆動回路により選択される前
記走査線の行の位置に同期して、前記複数の光源のうち対応する光源の強度を落とすこと
が好ましい。
【００１６】
ここで、ＣＲＴのようにインパルス型の表示を行う電気光学装置に比べ、本発明におけ
る電気光学装置では、あるフレーム中に表示された画像は、次のフレームに切り替わる直
前まで保持される、いわゆるホールド型の表示が行われる。このため、ホールド型の電気
光学装置では、人間の目の特性上、インパルス型の電気光学装置と比較して、動画像を表
示する際に残像が目立ち、表示される画像が不鮮明になる（以降、動画像ぼやけと呼ぶ）
場合がある。
そこで、この発明によれば、制御回路により、走査線駆動回路により選択される走査線
の行の位置に同期して、複数の光源のうち走査線駆動回路により選択される走査線に係る
画素に対応する光源から照射される光の強度を落とした。よって、複数の光源による黒挿
入制御が可能となり、動画ぼやけが発生するのを抑制できる。
【００１７】
本発明の電気光学装置では、前記制御回路は、前記極性に応じた画像信号がデータ線に
供給されてから前記電気光学材料の光学応答が完了するまでの間、前記光源の強度を落と
すとともに、前記電気光学材料の光学応答が完了した後に、前記光源の強度を上げること
が好ましい。
【００１８】
ここで、画素電極および共通電極からなる画素容量から電気光学材料に画像電圧が印加
されると、所定期間が経過した後に、電気光学材料の配向や秩序の変化といった光学応答
が完了する。すなわち、電気光学材料は、画像電圧が印加されてから光学応答が完了する
までに所定期間かかるので、この所定期間では、電気光学材料を透過する光源からの光が
安定せず、表示むらが生じる場合がある。
そこで、この発明によれば、制御回路により、極性に応じた画像信号がデータ線に供給
されてから電気光学材料の光学応答が完了するまでの間、光源から照射される光の強度を
落とすとともに、電気光学材料の光学応答が完了した後に、光源から照射される光の強度
を上げた。このため、電気光学材料の配向や秩序が変化している期間では、黒の階調表示
を行い、電気光学材料の配向や秩序が変化完了している期間では、画像信号に基づく階調
表示を行って、表示むらを抑制できるとともに、動画ぼやけが発生するのをさらに抑制で
きる。
【００１９】
本発明の電子機器は、上述の電気光学装置を備えたことを特徴とする。
この発明によれば、上述した効果と同様の効果がある。
【発明を実施するための最良の形態】
【００２０】
以下、本発明の実施形態を図面に基づいて説明する。なお、以下の実施形態および変形
例の説明にあたって、同一構成要件については同一符号を付し、その説明を省略もしくは
簡略化する。
＜第１実施形態＞
図１は、本発明の第１実施形態に係る電気光学装置１の構成を示すブロック図である。
電気光学装置１は、液晶パネルＡＡと、この液晶パネルＡＡを駆動する制御回路９０と
、液晶パネルＡＡに光を照射するバックライト３１と、を備える。この電気光学装置１は
、バックライト３１からの光を利用して、透過型の表示を行う。
【００２１】
液晶パネルＡＡは、複数の画素５０を有する表示領域Ａと、この表示領域Ａの周辺に設
けられて画素５０を駆動する走査線駆動回路１１およびデータ線駆動回路２１と、を備え
る。
【００２２】
この液晶パネルＡＡは、複数の走査線１０（図１中、Ｙ１〜Ｙ２００）と、これら走査
線１０に交差するように設けられた複数のデータ線２０と、を備え、各走査線１０および
各データ線２０の交差部には、画素５０が設けられている。なお、本実施形態では、走査
線１０の数を２００本としているが、これに限定する趣旨ではない。
【００２３】
画素５０は、スイッチング素子としてのＴＦＴ５１、画素電極５５、この画素電極５５
に対向する共通電極５６、および、一端が画素電極５５に電気的に接続され他端が共通線
３０に電気的に接続された蓄積容量５３で構成される。画素電極５５および共通電極５６
は、電気光学材料としての誘電体である液晶（図示せず）を挟持し、画素容量を形成する
。
【００２４】
ＴＦＴ５１のゲート電極には、走査線１０が接続され、ＴＦＴ５１のソース電極には、
データ線２０が接続され、ＴＦＴ５１のドレイン電極には、画素電極５５および蓄積容量
５３が接続されている。画素電極５５と共通電極５６との間には、液晶が挟持され両電極
で画素容量を形成する。したがって、このＴＦＴ５１は、走査線１０から選択電圧が印加
されると、データ線２０と画素電極５５および蓄積容量５３とを導通状態とする。
【００２５】
走査線駆動回路１１は、ＴＦＴ５１を導通状態にする選択電圧を各走査線１０に順次供
給する。例えば、ある走査線１０に選択電圧が供給されると、この走査線１０に接続され
たＴＦＴ５１が全て導通状態になり、この走査線１０に係る画素５０が全て選択される。
【００２６】
データ線駆動回路２１は、画像信号を各データ線２０に供給し、オン状態のＴＦＴ５１
を介して、画素電極５５にこの画像信号を順次書き込む。
ここで、データ線駆動回路２１は、全ての走査線１０が走査線駆動回路１１により選択
される期間ごと、すなわち１フレーム期間ごとに、共通電極５６の電圧を基準として、デ
ータ線２０に供給する画像信号の極性を反転させる。具体的には、データ線駆動回路２１
は、所定のフレーム期間では、共通電極５６の電圧よりも高い電圧でデータ線２０に画像
信号を供給する正極性書込を行い、この正極性書込を行ったフレームの次のフレーム期間
では、共通電極５６の電圧よりも低い電圧でデータ線２０に画像信号を供給する負極性書
込を行う。
【００２７】
バックライト３１は、複数の光源３１１（図１中、ＢＬ１〜ＢＬ２０）を備える。これ
ら複数の光源３１１は、液晶パネルＡＡの裏面に、走査線１０が延在する方向に沿って帯
状に設けられ、液晶パネルＡＡの画素５０に光を照射する。より詳しくは、光源ＢＬ１は
走査線Ｙ１〜１０、光源ＢＬ２は走査線Ｙ１１〜２０、・・・、光源ＢＬ１０は走査線Ｙ
１９１〜２００に対応して設けられている。なお、本実施形態では、光源３１１の数を２
０とし、１０本の走査線１０に対して１つの光源３１１が設けられているが、これに限定
する趣旨ではない。光源３１１の数が多いほど光学的には好ましいが、駆動等が複雑にな
るので、適宜設定すればよい。
【００２８】
制御回路９０は、液晶パネルＡＡに電源を供給する電源回路９１と、走査線駆動回路１
１やデータ線駆動回路２１を制御するパネル制御信号を出力するパネル制御回路９２と、
バックライト３１を制御するバックライト制御信号を出力する制御回路としてのバックラ
イト制御回路９３と、を備える。
【００２９】
電源回路９１は、駆動信号を液晶パネルＡＡに供給し、走査線駆動回路１１やデータ線
駆動回路２１などを駆動するのに必要な駆動電源を供給する。
【００３０】
パネル制御回路９２は、走査線駆動回路１１に対して、複数の走査線１０を順次選択走
査させる制御信号を供給する。また、データ線駆動回路２１に対して、上位装置（図示せ
ず）から供給される表示画像データに基づいた画像信号を、走査線駆動回路１１の動作に
同期して、複数のデータ線２０に供給する。
【００３１】
バックライト制御回路９３は、本発明の主たる構成要素であって、バックライト３１の
各光源３１１から照射される光の強度を制御するバックライト制御信号をバックライト３
１に出力する。このバックライト制御回路９３は、各画素５０に画像信号を供給するタイ
ミングに応じて、各画素５０に対応する各光源３１１から光を照射するタイミングを制御
するとともに、画像信号の極性に応じて、各光源から照射される光の強度を調整する。
具体的には、正極性書込を行った画素５０に対応する光源３１１から照射される光の強
度を所定の強度に制御し、負極性書込を行う場合には、光源３１１の光の強度を上述の所
定の強度よりも低く制御する。
【００３２】
以上の電気光学装置１は、以下のように動作する。
すなわち、走査線駆動回路１１から走査線１０に選択電圧を順次供給することで、ある
走査線１０に係るＴＦＴ５１を全てオン状態にして、この走査線１０に係る画素５０を全
て選択する。そして、これら画素５０の選択に同期して、データ線駆動回路２１からデー
タ線２０に画像信号を供給する。すると、走査線駆動回路１１で選択した全ての画素５０
に、データ線駆動回路２１からデータ線２０およびオン状態のＴＦＴ５１を介して画像信
号が供給されて、この画像信号が画素電極５５に書き込まれる。これにより、画素電極５
５と共通電極５６との間に電位差が生じて、画像信号に基づく画像電圧が液晶に印加され
る。
なお、データ線駆動回路２１からデータ線２０に供給する画像信号の極性は、１フレー
ム期間ごとに反転する。
【００３３】
また、バックライト３１の光源３１１から画素５０に、画像信号を供給するタイミング
と、画像信号の極性と、に応じて、光を照射する。
【００３４】
以上により、画像信号の電圧レベルを変化させることで、液晶の配向や秩序を変化させ
るとともに、各画素５０に光を供給するタイミングや、各画素５０に供給する光の強度を
制御して、各画素５０の光変調による階調表示を行う。
なお、液晶に印加される画像電圧は、蓄積容量５３により、画像データが書き込まれる
期間よりも３桁も長い期間に亘って保持される。
【００３５】
図２は、電気光学装置１における画像信号の極性と、液晶パネルＡＡの透過率ＴＰと、
の関係を示すタイミングチャートである。
ここで、ＰＩＸは画素電極５５の電圧であり、ＶＣＯＭは共通電極５６の電圧である。
また、ＴＰは液晶パネルＡＡの透過率である。
なお、図２において、正極性書込を行った場合と、負極性書込を行った場合とでは、所
定の同じ階調を表示するものとする。
【００３６】
まず、時刻ｔ１からｔ２までの期間、正極性書込を行って、画素電極５５の電圧ＰＩＸ
をＶｐＨとする。すると、画素電極５５の電圧ＶｐＨと共通電極５６の電圧ＶＣＯＭとの
電位差が液晶に印加され、液晶の配向や秩序が変化して、液晶パネルＡＡの透過率ＴＰが
ＴｐＬに変化する。
【００３７】
次に、時刻ｔ２からｔ３までの期間、負極性書込を行って、画素電極５５の電圧ＰＩＸ
をＶｐＬとする。すると、画素電極５５の電圧ＶｐＬと共通電極５６の電圧ＶＣＯＭとの
電位差が液晶に印加され、液晶の配向や秩序が変化して、液晶パネルＡＡの透過率ＴＰが
ＴｐＨに変化する。
【００３８】
以上のように、電気光学装置１では、正極性書込を行った場合と比べて、負極性書込を
行った場合の方が、液晶パネルＡＡの透過率ＴＰが高い。
【００３９】
図３は、電気光学装置１における画像信号の極性と、バックライト３１から液晶パネル
ＡＡに照射する光の強度と、の関係を示すタイミングチャートである。
ここで、ＬＸ１〜ＬＸ２０は、それぞれ、光源ＢＬ１〜ＢＬ２０の発光強度を示すもの
とする。
なお、図３において、正極性書込を行った場合と、負極性書込を行った場合とでは、所
定の同じ階調を表示するものとする。
【００４０】
まず、時刻ｔ１１において、走査線Ｙ１〜Ｙ１０に係る画素５０に対応する光源ＢＬ１
の発光強度ＬＸ１をＬ２とする。これにより、光源ＢＬ１が発光強度Ｌ２で発光する。ま
た、走査線Ｙ１に係る画素５０に正極性書込を行う。
【００４１】
次に、時刻ｔ１２において、走査線Ｙ２に係る画素５０に正極性書込を行う。
次に、時刻ｔ１３において、走査線Ｙ３に係る画素５０に正極性書込を行う。
時刻ｔ１２、ｔ１３と同様に、走査線Ｙ４〜Ｙ１０に係る画素５０についても、正極性
書込を順次行う。
【００４２】
次に、時刻ｔ１４において、走査線Ｙ１〜Ｙ１０に係る画素５０に対応する光源ＢＬ１
の発光強度ＬＸ１をＬ１とする。これにより、時刻ｔ１１における光源ＢＬ１の発光強度
Ｌ２よりも低い発光強度Ｌ１で光源ＢＬ１が発光する。また、走査線Ｙ１に係る画素５０
に負極性書込を行う。
【００４３】
次に、時刻ｔ１５において、走査線Ｙ２に係る画素５０に負極性書込を行う。
次に、時刻ｔ１６において、走査線Ｙ３に係る画素５０に負極性書込を行う。
時刻ｔ１５、ｔ１６と同様に、走査線Ｙ３〜Ｙ１０に係る画素５０についても、負極性
書込を順次行う。
【００４４】
以上のように、まず、走査線Ｙ１〜Ｙ１０に係る画素５０において、正極性書込を順次
行うとともに、これら走査線Ｙ１〜Ｙ１０に係る画素５０に対応する光源ＢＬ１を発光強
度Ｌ２で発光させる。
次に、走査線Ｙ１〜Ｙ１０に係る画素５０において、負極性書込を順次行うとともに、
これら走査線Ｙ１〜Ｙ１０に係る画素５０に対応する光源ＢＬ１を発光強度Ｌ２よりも低
い発光強度Ｌ１で発光させる。
【００４５】
また、走査線Ｙ１〜Ｙ１０に係る画素５０と同様に、まず、走査線Ｙ１１〜Ｙ２０に係
る画素５０において、正極性書込を順次行うとともに、これら走査線Ｙ１１〜Ｙ２０に係
る画素５０に対応する光源ＢＬ２を発光強度Ｌ２で発光させる。
次に、走査線Ｙ１１〜Ｙ２０に係る画素５０において、負極性書込を順次行うとともに
、これら走査線Ｙ１１〜Ｙ２０に係る画素５０に対応する光源ＢＬ２を発光強度Ｌ２より
も低い発光強度Ｌ１で発光させる。
【００４６】
本実施形態によれば、以下のような効果がある。
（１）画像信号の極性に応じて、複数の光源３１１を備えるバックライト３１から複数
の画素５０に供給する光の強度を制御した。よって、画像信号の極性が正極性の場合と負
極性の場合とで、液晶の光学応答に微妙なずれが生じるのを抑制し、階調に差異が生じる
のを抑制して、フリッカを抑制できる。
【００４７】
（２）データ線駆動回路２１により、全ての走査線１０が走査線駆動回路１１により選
択される期間ごと、すなわち１フレーム期間ごとに、データ線２０に供給する画像信号の
極性を反転させた。よって、液晶は交流電圧で駆動されるので、液晶の焼付きを抑制でき
る。
【００４８】
（３）１つの走査線１０が走査線駆動回路１１により選択される期間ごとに、データ線
２０に供給する画像信号の極性を反転させる１Ｈ反転駆動方式と比べて、画像信号の極性
を反転させる頻度が減少するので、消費電力が増大するのを抑制できる。
【００４９】
＜第２実施形態＞
図４は、本発明の第２実施形態に係る電気光学装置１Ａの構成を示すブロック図である
。
本実施形態では、光学応答センサ８０を液晶パネルＡＡに設けた点が、第１実施形態と
異なる。その他の構成は、第１実施形態と同様である。
【００５０】
光学応答センサ８０は、少なくとも１以上の画素５０から出射する光量を測定し、結果
を出力する。なお、光学応答センサ８０で光量を測定される画素は、表示に供する画素５
０と同様の駆動がなされるが、実際に表示に供する画素５０ではないダミー画素であって
、液晶パネルＡＡの適当な位置に配置されている。ただし、このダミー画素に対しても、
バックライト３１のいずれかの光源３１１から光が照射される。
【００５１】
バックライト制御回路９３Ａは、光学応答センサ８０で検知された液晶の光学応答に基
づいて、バックライト３１の各光源３１１から照射される光の強度を調節する。
【００５２】
以上の電気光学装置１Ａは以下のように動作する。
すなわち、ダミー画素の光学応答を光学応答センサ８０で測定し、例えば、正極性書込
の場合と比べて、負極性書込の場合の方が暗ければ、負極性書込の場合における各画素５
０に対応する各光源３１１の発光強度を、正極性書込の場合と比べて高くする。
【００５３】
本実施形態によれば、以下のような効果がある。
（４）光学応答センサ８０により、液晶の光学応答を検知し、バックライト制御回路９
３Ａにより、光学応答センサ８０で検知した液晶の光学応答に基づいて、複数の光源３１
１から複数の画素５０に照射される光の強度を制御した。よって、例えば、周辺温度が変
化して、ＴＦＴ素子のリーク電流が変化してフリッカ量が変化しても、各光源３１１の発
光強度を制御して、フリッカをさらに抑制できる。
【００５４】
＜第３実施形態＞
図５は、本発明の第３実施形態に係る電気光学装置１Ｂの構成を示すブロック図である
。
【００５５】
制御回路９０Ｂは、電源回路９１、パネル制御回路９２、およびバックライト制御回路
９３Ｂを備える。
【００５６】
バックライト制御回路９３Ｂは、極性に応じた画像信号がデータ線２０に供給されてか
ら液晶の光学応答が完了するまでの期間、走査線駆動回路１１により選択される走査線１
０の行の位置に同期して、複数の光源３１１のうち対応する光源３１１から照射される光
の強度を落とす。また、バックライト制御回路９３Ｂは、液晶の光学応答が完了した後に
、走査線駆動回路１１により選択される走査線１０の行の位置に同期して、複数の光源３
１１のうち対応する光源３１１から照射される光の強度を上げる。
【００５７】
図６は、電気光学装置１Ｂにおける画像信号と、バックライト３１から液晶パネルＡＡ
に照射する光の強度と、の関係を示すタイミングチャートである。
ここで、ＯＰ１〜ＯＰ１０は、走査線Ｙ１〜Ｙ１０に係る画素５０の光学応答を示すも
のとする。
【００５８】
まず、時刻ｔ２１において、走査線Ｙ１〜Ｙ１０に係る画素５０に対応する光源ＢＬ１
の発光強度ＬＸ１をＬ０とする。これにより、光源ＢＬ１が消灯する。また、走査線Ｙ１
に係る画素５０に正極性書込を行う。
【００５９】
次に、時刻ｔ２２において、走査線Ｙ２に係る画素５０に正極性書込を行う。
次に、時刻ｔ２３において、走査線Ｙ３に係る画素５０に正極性書込を行う。
時刻ｔ２２、ｔ２３と同様に、走査線Ｙ４〜Ｙ１０に係る画素５０についても、正極性
書込を順次行う。
【００６０】
次に、時刻ｔ２４において、上述の正極性書込を行った走査線Ｙ１に係る画素５０の液
晶の光学応答ＯＰ１が完了する。
次に、時刻ｔ２５において、上述の正極性書込を行った走査線Ｙ２に係る画素５０の液
晶の光学応答ＯＰ２が完了する。
時刻ｔ２４、ｔ２５と同様に、上述の正極性書込を行った走査線Ｙ３〜Ｙ９に係る画素
５０の液晶についても、光学応答が順次完了する。
【００６１】
次に、時刻ｔ２６において、上述の正極性書込を行った走査線Ｙ１０に係る画素５０の
液晶の光学応答ＯＰ１０が完了する。ここで、走査線Ｙ１〜Ｙ１０に係る画素５０に対応
する光源ＢＬ１の発光強度ＬＸ１をＬ２とする。これにより、光源ＢＬ１が発光強度Ｌ２
で発光する。
【００６２】
次に、時刻ｔ２７において、走査線Ｙ１〜Ｙ１０に係る画素５０に対応する光源ＢＬ１
の発光強度ＬＸ１をＬ０とする。これにより、光源ＢＬ１が消灯する。また、走査線Ｙ１
に係る画素５０に負極性書込を行う。
【００６３】
次に、時刻ｔ２８において、走査線Ｙ２に係る画素５０に負極性書込を行う。
次に、時刻ｔ２９において、走査線Ｙ３に係る画素５０に負極性書込を行う。
時刻ｔ２８、ｔ２９と同様に、走査線Ｙ４〜Ｙ１０に係る画素５０についても、負極性
書込を順次行う。
【００６４】
次に、時刻ｔ３０において、上述の負極性書込を行った走査線Ｙ１に係る画素５０の液
晶の光学応答が完了する。
次に、時刻ｔ３１において、上述の負極性書込を行った走査線Ｙ２に係る画素５０の液
晶の光学応答が完了する。
時刻ｔ３０、ｔ３１と同様に、上述の負極性書込を行った走査線Ｙ３〜Ｙ９に係る画素
５０の液晶についても、光学応答が順次完了する。
【００６５】
次に、時刻ｔ３２において、上述の負極性書込を行った走査線Ｙ１０に係る画素５０の
液晶の光学応答ＯＰ１０が完了する。ここで、走査線Ｙ１〜Ｙ１０に係る画素５０に対応
する光源ＢＬ１の発光強度ＬＸ１をＬ１とする。これにより、時刻ｔ２６における光源Ｂ
Ｌ１の発光強度Ｌ２よりも低い発光強度Ｌ１で光源ＢＬ１が発光する。
【００６６】
以上のように、まず、走査線Ｙ１〜Ｙ１０に係る画素５０において、正極性書込を順次
行って、これら走査線Ｙ１〜Ｙ１０に係る画素５０の液晶の光学応答が完了するまで、走
査線Ｙ１〜Ｙ１０に係る画素５０に対応する光源ＢＬ１を消灯させる。次に、走査線Ｙ１
〜Ｙ１０に係る画素５０の液晶の光学応答が完了すると、光源ＢＬ１を発光強度Ｌ２で発
光させる。
次に、走査線Ｙ１〜Ｙ１０に係る画素５０において、負極性書込を順次行って、これら
走査線Ｙ１〜Ｙ１０に係る画素５０の液晶の光学応答が完了するまで、走査線Ｙ１〜Ｙ１
０に係る画素５０に対応する光源ＢＬ１を消灯させる。次に、走査線Ｙ１〜Ｙ１０に係る
画素５０の液晶の光学応答が完了すると、光源ＢＬ１を発光強度Ｌ１で発光させる。
【００６７】
走査線Ｙ１１〜Ｙ２００に係る画素５０および光源ＢＬ２〜ＢＬ２０についても、走査
線Ｙ１〜Ｙ１０に係る画素５０および光源ＢＬ１と同様に、順次動作する。
【００６８】
本実施形態によれば、以下のような効果がある。
（５）バックライト制御回路９３により、複数の画素５０に画像信号を供給してから光
学応答が完了までの期間、これら複数の画素５０に対応する光源３１１を消灯させた。こ
のため、光源３１１を消灯する期間を制御することで、表示むらを抑制できるとともに、
複数の光源３１１による黒挿入制御が可能となり、動画ぼやけが発生するのを抑制できる
。
【００６９】
＜変形例＞
なお、本発明は上述の各実施形態に限定されるものではなく、本発明の目的を達成でき
る範囲での変形、改良等は本発明に含まれるものである。
例えば、上述の第１実施形態では、電気光学装置１は、透過型の表示を行うこととした
が、これに限らず、バックライト３１からの光を利用する透過型表示と、自然光や室内光
といった周囲の反射光を利用する反射型表示と、を兼ね備えた半透過反射型の表示を行っ
てもよい。
【００７０】
また、上述の各実施形態において、バックライト３１が備える複数の光源３１１は、エ
レクトロルミネッセンス（ＥＬ）や冷陰極蛍光管（ＣＣＦＬ）やＬＥＤ（発光ダイオード
）等であってよい。
【００７１】
また、上述の各実施形態では、全ての走査線１０が走査線駆動回路１１により選択され
る期間ごと、すなわち１フレーム期間ごとに、データ線２０に供給する画像信号の極性を
反転させたが、これに限らず、例えば、２０本の走査線１０が走査線駆動回路１１により
選択される期間ごとに、上述の画像信号の極性を反転させてもよい。またさらに各光源３
１１の発光強度を各画素の明るさ（透過率）の変化の逆変化にしても良い。すなわち、液
晶が例えばノーマリーホワイトの場合には書き込み後、徐々に画素電圧が下がり、徐々に
透過率が増すので、透過率の増加を相殺するように当該画素に対応する光源３１１の発光
強度を徐々に低下させても良い。これによりさらにフリッカを解消でき、例えば１フレー
ム期間を１／６０秒から例えば１／４０秒程度に伸ばしてもフリッカを認識できないよう
にすることが可能となる。
【００７２】
また、上述の各実施形態における液晶としては、ＴＮ（Twisted  Nematic）液晶や負の
誘電率を用いた液晶を用いてもよい。また、液晶の表示モードとしては、ＩＰＳ（In-Pla
ne  Switching）やＦＦＳ（Fringe-Field  Switching）などでもよい。
【００７３】
＜応用例＞
次に、上述した実施形態に係る電気光学装置１を適用した電子機器について説明する。
図６は、電気光学装置１を適用した携帯電話機の構成を示す斜視図である。携帯電話機
３０００は、複数の操作ボタン３００１およびスクロールボタン３００２、ならびに電気
光学装置１を備える。スクロールボタン３００２を操作することによって、電気光学装置
１に表示される画面がスクロールされる。
【００７４】
なお、電気光学装置１が適用される電子機器としては、図６に示すもののほか、パーソ
ナルコンピュータ、情報携帯端末、デジタルスチルカメラ、液晶テレビ、ビューファイン
ダ型、モニタ直視型のビデオテープレコーダ、カーナビゲーション装置、ページャ、電子
手帳、電卓、ワードプロセッサ、ワークステーション、テレビ電話、ＰＯＳ端末、タッチ
パネルを備えた機器などが挙げられる。そして、これらの各種電子機器の表示部として、
前述した電気光学装置が適用可能である。
【図面の簡単な説明】
【００７５】
【図１】本発明の第１実施形態に係る電気光学装置の構成を示すブロック図である。
【図２】前記電気光学装置における画像信号の極性と、液晶パネルの透過率と、の関係を示すタイミングチャートである。
【図３】前記電気光学装置における画像信号の極性と、バックライトから液晶パネルに供給する光の強度と、の関係を示すタイミングチャートである。
【図４】本発明の第２実施形態に係る電気光学装置の構成を示すブロック図である。
【図５】本発明の第３実施形態に係る電気光学装置の構成を示すブロック図である。
【図６】前記電気光学装置における画像信号と、バックライトから液晶パネルに供給する光の強度と、の関係を示すタイミングチャートである。
【図７】上述した電気光学装置を適用した携帯電話機の構成を示す斜視図である。
【符号の説明】
【００７６】
１、１Ａ、１Ｂ…電気光学装置、１０…走査線、１１…走査線駆動回路、２０…データ
線、２１…データ線駆動回路、３１…バックライト、５０…画素、５５…画素電極、５６
…共通電極、８０…光学応答センサ（センサ部）、９３、９３Ａ、９３Ｂ…バックライト
制御回路（制御回路）、９５…黒挿入回路、３１１…光源、３０００…携帯電話機（電子
機器）。
【図１】
2007304385.tif 000003
【図２】
2007304385.tif 000004
【図３】
2007304385.tif 000005
【図４】
2007304385.tif 000006
【図５】
2007304385.tif 000007
【図６】
2007304385.tif 000008
【図７】
2007304385.tif 000009